(57)【要約】      （修正有）【課題】飲料の固体物質を隔離して、飲料を取得する飲料濾過装置を提供する。【解決手段】外容器と、直径が前記外容器よりやや小さいため外容器に挿入される内容器３０とを備え、内容器３０の下面は縮径部分３１であり、シールリング３２が装設され、内容器３０と外容器の内表面との間には密封が形成される。内容器３０の底部には環状本体３４を有するフィルター３３が装設され、内部空間が画定され、調味用固体が内部空間に貯蓄され、上部には複数の穿孔３６が形成されて調味用固体の小分子物質を通過させ、調味用固体の大きな顆粒は穿孔３６を通過できず、これにより飲料を取得させる。【選択図】図２
0003205678.tif 000002
【実用新案登録請求の範囲】
【請求項１】
剛性材料で製造される外容器と、
剛性材料で製造され、その直径が前記外容器よりやや小さいため外容器に挿入され、下面は縮径部分であり、シールリングが装設され、それと外容器の内表面との間が密封される内容器であって、前記内容器の底部には環状本体を有するフィルターが装設され、内部空間が画定され、調味用固体が前記内部空間に蓄積され、上部には複数の穿孔が形成されて調味用固体の小分子物質を通過させ、調味用固体の大きな顆粒は前記穿孔を通過できないこととを備えることを特徴とする飲料濾過装置。
【請求項２】
前記フィルターの環状本体の底部には環状フランジが形成され、前記フィルターが内容器の縮径部分に装入されると、前記環状フランジが前記縮径部分の底端に当接されることを特徴とする、請求項１に記載の飲料濾過装置。
【請求項３】
前記外容器に緊密に結合される上蓋部をさらに備えることを特徴とする、請求項１に記載の飲料濾過装置。
【考案の詳細な説明】
【技術分野】
【０００１】
本考案は、煮沸抽出装置に関し、より詳しくは、フィルターを備え、用意された飲料の固体物質を隔離させて、飲料を取得する飲料濾過装置に関する。
【背景技術】
【０００２】
人類は９世紀頃にはコーヒー飲料を飲み始めており、煮沸抽出技術も長年培ってきた。茶葉やコーヒー粉末等の調味用固体に熱水を加えることで茶やコーヒーを淹れることができる。前記飲料が理想的な状態に達するには、前記調味用固体から香りが引き立つまで十分な時間お湯に浸し、その後に前記調味用固体をお湯から取り出し、調味用固体が過度に煎じられて、濃厚過ぎたりコーヒーの苦味等が強くなり過ぎたりしないように調整する。
【考案の概要】
【考案が解決しようとする課題】
【０００３】
しかしながら、現在の煮沸抽出技術では、前述の抽出過程を停止する場合、前記飲料を取り出すには濾過装置が必要であり、これは使用者にとって不便であり、煩雑であった。また、煮沸抽出技術の多くは、前記飲用装置とは別に準備装置が必要である。さらには、飲料の準備が完了した後、市場の大部分の製品では飲料に対して保温効果を提供していない。
【０００４】
コーヒーはコーヒー豆を挽いて小さな顆粒にした後、お湯を淹れることでコーヒー飲料が形成される。一定量のコーヒーを細かい粉末に挽いた方が粗く挽いた顆粒よりも美味しくなる。このため、細かい粉末に挽くことで高速に淹れることができる。しかしながら、前記コーヒーの準備装置にはフィルターが必要であり、粉末を細かく挽いて小さな物質とすると、フィルターを通過させて飲料に入ってしまう。
【０００５】
なお、コーヒーには、コーヒーにバターのような味わいを与える小分子の油脂が含まれることが、上等なコーヒーの理想的な特色といえる。通常の油脂分子の直径は約０．４ミリメートルである。このため、前記装置が飲料煮沸抽出器となり、また飲用コップにもなる飲料を淹れるための便利な装置を考案する必要があった。好ましくは、このような考案は前述の２つの容器により構成され、即ち、内容器及び外容器で構成され、前記内容器がフィルターを有すると共に脂質を通過させ、ただし、調味用固体或いは残りかすは準備された飲料に進入させないものがよい。そこで、本考案者は上記の欠点が改善可能と考え、鋭意検討を重ねた結果、合理的設計で上記の課題を効果的に改善する本考案の提案に到った。
【０００６】
本考案は、このような従来の問題に鑑みてなされたものである。上記課題解決のため、本考案は、飲料濾過装置を提供することを主目的とする。即ち、コーヒーや茶等の飲料を淹れて飲む準備ができ、フィルターを備えることで、準備された飲料の固体物質を隔離させ、飲料を取得させる。
【課題を解決するための手段】
【０００７】
上述した課題を解決し、目的を達成するために、本考案に係る飲料濾過装置は、剛性材料で製造される外容器と、剛性材料で製造され、その直径が前記外容器よりやや小さいため外容器に挿入され、下面は縮径部分であり、シールリングが装設され、それと外容器の内表面との間には密封がされる内容器であって、前記内容器の底部には環状本体を有するフィルターが装設され、内部空間が画定され、調味用固体が前記内部空間に貯蓄され、上部には複数の穿孔が形成されて調味用固体の小分子物質を通過させ、調味用固体の大きな顆粒は前記穿孔を通過できないことを特徴とする。
【考案の効果】
【０００８】
本考案によれば、調味用固体或いは残りかすが準備された飲料に進入しない。
【図面の簡単な説明】
【０００９】
【図１】本考案にかかる飲料濾過装置の部材を示す斜視展開図である。
【図２】本校案の内容器を示す展開図である。
【図３】本考案にかかる飲料濾過装置を示す展開図である。
【図４】本考案の内容器が外容器に挿入される断面図である。
【図５】コーヒー顆粒がフィルターの環状本体に残る断面図である。
【考案を実施するための形態】
【００１０】
本考案における好適な実施形態について、添付図面を参照して説明する。なお、以下に説明する実施形態は、請求の範囲に記載された本考案の内容を限定するものではない。また、以下に説明される構成の全てが、本考案の必須要件であるとは限らない。
【００１１】
第１実施形態
本考案にかかる飲料濾過装置１０は、外容器２０と、内容器３０と、上蓋部４０とを備える。前記外容器２０はステンレス等の剛性材料で製造され、前記外容器２０は円筒形である（図１〜図３参照）。
【００１２】
前記内容器３０はステンレス等の剛性材料で製造され、前記内容器２０は円筒形であり、その直径が前記外容器２０よりやや小さいため、内容器３０が外容器２０に挿入される。
【００１３】
図２は内容器３０を示す斜視展開図である。内容器３０の下面は縮径部分３１であり、シールリング３２が装設されて調味用固体が外容器２０と内容器３０との間から流出するのを防止する。前記内容器３０の底部にはフィルター３３が装設され、螺入方式で内容器３０の底部に結合される。前記フィルター３３が、環状本体３４を有することで調味用固体コーヒー粉末や顆粒が前記環状本体３４の内部空間３５に貯蓄され、上部には複数の穿孔３６が形成されて抽出されたコーヒーの油脂等の油脂を通過させ、調味用固体の大きな顆粒は前記穿孔３６を通過できない。前記環状本体３４の底部には環状フランジ３７が形成され、フィルター３３が内容器３０の縮径部分３１に装入されると、環状フランジ３７が前記縮径部分３１の底端に当接される。
【００１４】
図３は本考案に係る飲料濾過装置１０を示す斜視展開図であり、外容器２０、内容器３０及び上蓋部４０の関係を図示する。
【００１５】
図１によると、本考案にかかる飲料濾過装置１０は、外容器２０に緊密に結合される上蓋部４０をさらに備え、前記上蓋部４０は装入方式或いはねじ山結合方式により外容器２０に結合され、本考案では、ねじ山方式の実施形態について説明する。上蓋部４０はステンレスやプラスチック等の剛性材料で製造される。前記上蓋部４０は排気孔４１を有する。
【００１６】
また、図４は本考案の内容器３０が外容器２０に完全に挿入される断面図である。好ましくは、外容器２０及び内容器３０は円筒形であり、内容器３０の直径が前記外容器２０よりやや小さく、内容器３０が外容器２０に装入される。シールリング３２は、内容器３０の縮径部分３１に周設され、内容器３０が外容器２０に挿入された後、内容器３０と外容器２０の内表面との間が密封される。これにより、内容器３０が外容器２０に徐々に進入してゆくと、外容器２０の液体がフィルター３３の穿孔３６を通して内容器３０に進入する。
【００１７】
以下には、本考案にかかる飲料濾過装置１０を使用して、コーヒー粉末等の適量の材料を外容器２０に入れ、適量の熱水を加え、飲料を淹れる順序を説明する。所定の時間の後、内容器３０が外容器２０に挿入され、徐々に下に向けて押され、且つコーヒー顆粒５０がフィルター３３の環状本体３４の内部空間３５に静置され、準備されたコーヒー飲料とコーヒー顆粒５０とを隔離させ、上述の準備が完了するとコーヒー飲料が直接飲用出来るようになり、これは図５に図示する。
このほか、前記フィルター３３の内部空間３５には調味用固体が蓄積される以外に、前記内部空間３５には長時間浸けられた液体も残留するが、内容器３０の液体を注ぐ場合に蓄積された調味用個体が混入して一緒に注がれることはなく、内容器３０の液体の濃度及び味が一致するように確保される。
【００１８】
従って、本明細書に開示された実施形態は、本考案を限定するものではなく、説明するためのものであり、このような実施形態によって本考案の思想と範囲が限定されるものではない。本考案の範囲は特許請求の範囲により解釈すべきであり、それと同等の範囲内にある全ての技術は、本考案の権利範囲に含まれるものと解釈すべきである。
【符号の説明】
【００１９】
１０  飲料濾過装置
２０  外容器
３０  内容器
３１  縮径部分
３２  シールリング
３３  フィルター
３４  環状本体
３５  内部空間
３６  穿孔
３７  環状フランジ
４０  上蓋部
４１  排気孔
５０  コーヒー顆粒
【図１】
0003205678.tif 000003
【図２】
0003205678.tif 000004
【図３】
0003205678.tif 000005
【図４】
0003205678.tif 000006
【図５】
0003205678.tif 000007
【手続補正書】
【提出日】平成28年6月6日(2016.6.6)
【手続補正１】
【補正対象書類名】実用新案登録請求の範囲
【補正対象項目名】請求項１
【補正方法】変更
【補正の内容】
【請求項１】
剛性材料で製造される外容器と、
剛性材料で製造され、その直径が前記外容器よりやや小さいため外容器に挿入され、下面は縮径部分であり、シールリングが装設され、それと外容器の内表面との間が密封される内容器とを備え、前記内容器の底部には環状本体を有するフィルターが装設され、前記フィルターに内部空間が画定され、調味用固体が前記内部空間に蓄積され、前記フィルターの上部には複数の穿孔が形成されて調味用固体の小分子物質を通過させ、調味用固体の大きな顆粒は前記穿孔を通過できないこととを備えることを特徴とする飲料濾過装置。